(57)【特許請求の範囲】
【請求項１】
テレビレンズと多芯の第１のケーブルを介して接続され、該テレビレンズのフォーカスレンズ群、ズームレンズ群、アイリス、及びエクステンダーのうちの少なくとも一つを制御する第１の信号を出力する第１の制御装置と、前記第１の制御装置と第２のケーブルを介して接続され前記テレビレンズのフォーカスレンズ群、ズームレンズ群、アイリス、及びエクステンダーのうちの他の一つを制御する第２の信号を出力する第２の制御装置とを有し、前記第２の制御装置から出力される第２の信号を前記第１の制御装置で中継し、前記第１の信号とともに前記第１の制御装置から前記第１のケーブルを介して前記テレビレンズに導くように構成されたテレビレンズにおいて、
前記第１の制御装置のケーシング内において、前記第１のケーブル及び第２のケーブルが挿通される環状の不要輻射ノイズ除去部材を設け、前記第１のケーブル及び第２のケーブルに重畳した高周波ノイズを低減化したことを特徴とするテレビレンズ。
【発明の詳細な説明】
【０００１】
【発明の属する技術分野】
本発明はテレビレンズに係り、特に不要輻射ノイズの放射及び混入を低減化する手段を設けたスタジオ用又はフィールド用のテレビレンズに関する。
【０００２】
【従来の技術】
一般にスタジオ内のテレビ撮影や屋外のスポーツ中継等においては、ＥＦＰレンズと呼ばれるテレビレンズが広く用いられている。この種のテレビレンズは、金属製の鏡胴にフォーカスレンズ群及びズームレンズが収納され、該鏡胴の周囲に前記レンズ群等を電気的に駆動する駆動手段、及びその他各種の検出系を含む制御回路基板が取り付けられてレンズ本体が構成されている。そして、通常このレンズ本体は、金属製のカバーで包囲されている。
【０００３】
また、テレビレンズの底面又は側面には一般に、外部からの信号を伝えるケーブルが着脱自在に接続されるコネクタ受け配設されており、該コネクタ受けにフォーカスデマンドやコントロールボックスからの制御信号を伝えるケーブルのコネクタを接続して、テレビレンズのフォーカス、ズーム、アイリス、エクステンダー等の各種動作を操作できるようになっている。
【０００４】
【発明が解決しようとする課題】
しかしながら、従来のテレビレンズでは外部からの信号を伝えるケーブルが接続される周辺の不要輻射ノイズに対する対策が必ずしも十分でないために、該ケーブル重畳した高周波ノイズがテレビレンズ内に侵入し、レンズ駆動手段等の各種制御信号にノイズが混入して誤動作を起こす可能性があるという問題がある。特に、高いレンズ位置精度が要求されるテレビレンズでは、ピント調整されたフォーカスレンズが数μｍ誤動作するとピンボケになるという不具合があった。
【０００５】
また、最近は一般の電気機器装置に対してＥＭＣ（電磁妨害を与える問題（ＥＭＩ）と電磁妨害を受ける問題（ＥＭＳ）との総称）対策が十分に施されていることが望まれる情況にあり、テレビレンズにおいても電磁妨害対策が必要となってきている。
本発明はこのような事情に鑑みてなされたもので、不要輻射ノイズの混入を低減でき、耐ノイズ性に優れたテレビレンズを提供することを目的とする。
【０００８】
【課題を解決するための手段】
本発明は前記目的を達成するために、テレビレンズと多芯の第１のケーブルを介して接続され、該テレビレンズのフォーカスレンズ群、ズームレンズ群、アイリス、及びエクステンダーのうちの少なくとも一つを制御する第１の信号を出力する第１の制御装置と、前記第１の制御装置と第２のケーブルを介して接続され前記テレビレンズのフォーカスレンズ群、ズームレンズ群、アイリス、及びエクステンダーのうちの他の一つを制御する第２の信号を出力する第２の制御装置とを有し、前記第２の制御装置から出力される第２の信号を前記第１の制御装置で中継し、前記第１の信号とともに前記第１の制御装置から前記第１のケーブルを介して前記テレビレンズに導くように構成されたテレビレンズにおいて、前記第１の制御装置のケーシング内において、前記第１のケーブル及び第２のケーブルが挿通される環状の不要輻射ノイズ除去部材を設け、前記第１のケーブル及び第２のケーブルに重畳した高周波ノイズを低減化したことを特徴としている。
【０００９】
本発明によれば、第１の制御装置からテレビレンズのフォーカスレンズ群、ズームレンズ群、アイリス、及びエクステンダーのうちの一つを制御する第１の信号が第１のケーブルを介してテレビレンズに出力され、第２の制御装置から前記第１の制御装置と異なる他の一つを制御する第２の信号が第２のケーブルを介して前記第１の制御装置に向けて出力される。第２の信号は前記第１の制御装置で中継され、第１の制御装置から前記第１の信号とともに前記第１のケーブルを介して前記テレビレンズに導かれる。前記第１の制御装置のケーシング内において、前記第１及び第２のケーブルは共に環状の不要輻射ノイズ除去部材に通される。これにより、前記第１及び第２のケーブルに重畳した不要輻射ノイズがテレビレンズ内に導かれることはなく、テレビレンズの各種制御信号にノイズが混入して誤動作を起こすような不具合を防止できる。
【００１０】
【発明の実施の形態】
以下添付図面に従って本発明に係るテレビレンズの好ましい実施の形態について説明する。
図１は、本発明に係るテレビレンズが適用されたＥＦＰレンズのレンズ本体の構成を示す斜視図であり、図２は、そのレンズ本体を覆うカバーの斜視図である。図１に示すようにレンズ本体１０は、主としてレンズ１２が収納されている鏡胴１４、ボディー底板１６、及びマウントフレーム１８から成り、前記鏡胴１４の下面にボディー底板１６が組付けられ、前記鏡胴１４の後端にマウントフレーム１８が組付けられて構成される。
【００１１】
前記鏡胴１４は金属材料（例えば、マグネシウム）で製作されており、該鏡胴１４内には、図示しないフォーカスレンズ群及びズームレンズが光軸に沿って移動可能に収納されている。
前記フォーカスレンズ群及びズームレンズは、それぞれ鏡胴１４の下部に組付けられるサーボモジュール（不図示）によって電気的に駆動されるようになっている。また、前記鏡胴１４内には、図示しないアイリスが配設されており、該アイリスも鏡胴１４の外周面に取り付けられたモータ２０によって電気的に駆動され絞り値を変更できるようになっている。
【００１２】
更に、前記鏡胴１４には、図示しないエクステンダーレンズが回動自在に組付けられている。該エクステンダーは、鏡胴の外周面に取り付けられたモータ２２によって回動駆動され、光軸内に進入又は光軸から退避されるようになっている。このエクステンダーの駆動機構は、マウントフレーム１８に設けられたエクステンダー切替ツマミ２６と連動しており、該エクステンダー切替ツマミ２６を回すことによって前記エクステンダーレンズの進退をマニュアル操作で切替ることも可能である。
【００１３】
前記鏡胴１４の側面には、前述したフォーカスレンズ、アイリス、エクステンダー等の各種駆動を制御する制御回路を含んだ電子回路基板２８が取り付けられている。この回路基板２８上には、外部から入力する各種操作信号をレンズ制御信号に変換する回路や、カメラからの電源及び信号等をレンズ側に伝えるその他制御回路が含まれており、図には示されていないが適当な配線を介して種々の信号が加えられるとともに、該回路基板２８から前記モータ２０、２２等の駆動を制御する電気信号が出力されるようになっている。
【００１４】
また、該回路基板２８の左隅部には、タリーランプ電球３０が固着されている。通常、タリーランプはテレビレンズの左右に一対設けられるものであり、図には示されていないが鏡胴１４の反対側の側面にも同様にタリーランプ電球が設けられている。尚、タリーランプ電球３０は前記回路基板２８上に固着する場合に限らず、適当な取り付け部材を配置して固着するようにしてもよい。
【００１５】
前記鏡胴１４の前側は円筒状に形成されており、該円筒部１４Ａの終端縁は外周面に沿って段差３２が設けられている。この周面段差３２に後述するカバーの縁が接触することになる（図２参照）。前記周面段差３２、即ちカバーの縁と接触する部分には、周面全周にメッシュの導電性弾性部材３４が粘着されており、カバー装着時に電磁的にシールドされるようになっている。尚、この段差３２を含む円筒部１４Ａに塗装を施す場合には、塗料によって導通が遮られることを考慮して、前記導電性弾性部材３４に銅泊テープを貼り付け、この銅泊テープを前記段差部に形成した雌ねじ部（タップ）に螺子止め固定することにより導通をとるようにする。又は、導電性弾性部材３４の粘着領域について塗料が付着しないようにマスクしたり、或いは、導電性塗装を施すなどして導通をとってもよい。
【００１６】
前記鏡胴１４の下側には、ボディー底板取付け用のプレート３６と、これに直交するアングル部材３８が設けられている。前記プレート３６及びアングル部材３８は金属材料で製作されており、前記アングル部材３８の前面部にはチューブ状の導電性ゴム４０が固着されている。尚、前記アングル部材３８に塗装を施す場合には、導電性ゴム４０の粘着領域について塗料が付着しないようにマスクしたり、或いは、導電性塗装を施すなどして導通をとるようにする。このアングル部材３８と前記プレート３６とにボディー底板１６が螺子固定されることになる。
【００１７】
図１の下方に示したボディー底板１６は、左右の側面４２、４３が下側に折り曲げ形成されており、この側面４２、４３の外側には前記アングル部材３８と同様にチューブ状の導電性ゴム４６、４６が固着されている。また、該ボディー底板１６の上面４７には、３つの貫通コンデンサー４８、４９、５０が取り付けられており、これら貫通コンデンサー４８、４９、５０の裏面には、図示しないバッテリーケーブルのコネクタ受けが設けられている。このコネクタ受けにバッテリーケーブルのコネクタが着脱自在に接続され、バッテリーからＤＣ１２Ｖの電源が導かれるようになっている。前記貫通コンデンサーの役割については後述する。
【００１８】
ボディー底板１６は、前記３つの貫通コンデンサーの後方に段差状の平坦部５２、５２が形成されており、該平坦部５２、５２の裏面に図示しない多ピンのコネクタ受けが設けられている。そして、このコネクタ受けに外部からの信号を伝えるケーブルのコネクタが着脱自在に接続されるようになっている（図１１、図１２参照）。
【００１９】
前記コネクタ受けのピンにはそれぞれ各種信号線５４が接続されており、これらの信号線は図に示すように束ねられて着脱式のフェライトコア５６、５６に通されている。前記フェライトコア５６、５６は中空略円筒状に形成され、軸に沿って２分割されている。２分割された各片は、それぞれプラスチックケースに収納され、ヒンジで連結されている。このフェライトコア５６、５６を開いて前記束ねた信号線の束（信号線束）５７、５８を挟みこむことによって、フェライトコア５６、５６が信号線束５７、５８に固着される。このような２分割式のフェライトコア５６は、配線済のケーブルやコネクタに接続されたケーブルにも容易に固着できるばかりでなく、同一ラインに直流大電流が流れているような場合における直流でのコアの磁気飽和が非分割のものに比べて起きにくいという長所がある。
【００２０】
前記フェライトコア５６、５６を通された各信号線は、それぞれ鏡胴１４に組付けられた回路基板２８等に導かれている。例えば、左側の信号線束５７にはズーム、フォーカスの制御信号線が含まれ、右側の信号線束５８にはアイリス、エクステンダーの制御信号線が含まれている。このように外部から入力されるコネクタの入り口近傍で信号線を束ねてフェライトコア５６、５６を通すことで不要輻射ノイズの発生及び混入を防止している。
【００２１】
この場合、不要輻射のノイズを低減させる手段としては、前記フェライトコア５６に限らず、これと同様の機能を有するノイズ阻止手段（ＥＭＩ除去手段）を用いてもよい。
ところで、ボディー底板１６を前記鏡胴１４に組付けるには、ボディー底板１６の上面４７を前記鏡胴１４下部に固着したプレート３６に接面させるとともに、ボディー底板１６の前側端面を前記鏡胴下部に固着したアングル部材３８に合致させて、螺子固定して組付ける。こうして、鏡胴１４の下部にアングル部材３８及びボディー底板１６で囲まれる凹部が形成される。この凹部を画成する３つの側面（３８、４２、４３）には、導電性ゴム４０、４６、４６が設けられていることになる。尚、この凹部には、直方形状のサーボモジュール（不図示）が組み込まれる。
【００２２】
サーボモジュールは、フォーカス駆動用のものとズームレンズ駆動用のものの２組が組付けられ、各サーボモジュールは、コネクタを介してレンズ本体１０と電気的に接続されるとともに、駆動力を伝える回転軸がカップリングを介してレンズ本体１０と機械的に連結されるようになっている。
次に、マウントフレーム１８について説明する。
【００２３】
マウントフレーム１８は、前記鏡胴１４の後端に組付けられるブロックである。マウントフレーム１８の後壁には鏡胴１４内を通過した撮影光が導かれる開口１８Ａが形成されており、このマウントフレーム１８の後壁の後ろに図示しないカメラが取り付けられるようになっている。
マウントフレーム１８の側部には、上からインジケータ６０、エクステンダー切替ツマミ２６、トラッキング調整ツマミ６２が設けられている。インジケータ６０は、ズーム、アイリス等テレビレンズの状態をＬＥＤ点灯で表示するものであり、この表示に用いられるＬＥＤは電気ケーブル６４を介して、前記鏡胴１４に取り付けられた回路基板２８に接続され、レンズの状態に応じて特定のＬＥＤが点灯するようになっている。このインジケータ表示部については後述する。
【００２４】
エクステンダー切替ツマミ２６は、マウントフレーム側面に形成された凹部の前壁に組付けられており、該エクステンダー切替ツマミ２６の回転力は図示しないギヤ等の動力伝達機構を介して前述したエクステンダーの駆動機構（モータ２２）に伝達されるようになっている。
トラッキング調整ツマミ６２は、レンズの結像位置を調整できるように設けられているもので、図示しないマスターレンズの駆動機構に連結されている。該トラッキング調整ツマミ６２の回転力は、図示しないギヤ等の動力伝達機構を介して鏡胴内のマスターレンズ駆動機構に伝達され、マニュアル操作によってレンズ結像位置の微調整ができるようになっている。このエクステンダー切替ツマミ２６及びトラッキング調整ツマミ６２の構成については後述する。
【００２５】
マウントフレーム１８の下部はコ文字状の切欠部６５が形成されており、該切欠部６５に前記ボディー底板１６の後方に形成された角筒状の凸部６６が面接触して組付けられる。
また、マウントフレーム１８の上面及び左右両側面の先端部は、外周に沿って段差６８が形成されており、該段差６８に途切れなく導電性ゴム６９が埋め込まれている。この段差部の導電性ゴム６９に後述するレンズカバー７０の端面が接触し、カバー装着時には電磁的にシールドされるようになっている。
【００２６】
図２は、図１に示したレンズ本体１０を包囲するレンズカバー７０の斜視図である。同図に示すレンズカバー７０は、前記鏡胴１４の円筒部１４Ａを覆うフロントカバー７２と前記レンズ本体の円筒部１４Ａよりも後方、即ち、回路基板２８やモータ２０等が組付けられている部分を包囲する本体カバー７４の２ピースから成る。フロントカバー７２は略四角筒状に形成され、該フロントカバー７２の後壁面７６には、前記鏡胴の円筒部１４Ａが挿通される円状の開口７６Ａが形成されている。
【００２７】
前記本体カバー７４も略四角筒状に形成され、該本体カバー７４の前壁面７８には前記鏡胴の円筒部１４Ａが挿通される円状の開口７８Ａが形成されている。この本体カバーの前壁面７８と前記フロントカバー後壁面７６とを、両者の開口を合致させて４本の螺子７９で連結させて一体化できるようになっている。
本体カバー７４の左右の両側面上部には、前から順に、タリーランプ窓８０、持ち運び用の把手となる凹部８１が形成され、把手の後方にはカバーと本体を連結する固定ネジ８２が設けられている。タリーランプ窓８０は、前述した鏡胴１４に固着したタリーランプ電球３０の光を外部から見えるようにした部分であり、本体カバー７４の該当箇所に開口部が形成され、該開口部にメッシュ状に編まれた金属網（不図示）を取り付けた後、その上から該開口部を赤色透明の樹脂部材で密閉して構成されている。このように金属網を設けたことで、ランプの光は通過させることができると同時に、不要な輻射ノイズの進入を防ぐことができる。また、金属網を取り付ける代わりに前記樹脂部材の裏面に導電性処理を施すことによっても、不要輻射ノイズの進入を防止することができる。尚、導電性処理は前記樹脂部材の裏面に限らず、表面又は表裏全面でもよい。
【００２８】
本体カバー７４の下面は、後方が空いたコ文字状に切り欠かれており、カバー装着状態において前述した鏡胴１４の下部に形成されたサーボモジュールを組み込む為の凹部を閉ざさないようになっている。
図２に示したフロントカバー７２と本体カバー７４とを連結して成るレンズカバー７０の後方から図１に示したレンズ本体１０が挿入され、両者が組付けられることにより、レンズ本体１０がレンズカバー７０で包囲される。即ち、レンズ本体１０の前側は、円筒部１４Ａの段差３２が本体カバーの前壁面７８裏側の円周縁に接触し、レンズ本体１０の下側は、サーボモージュールを組み込む凹部を画成する３つの側壁、即ち、アングル部材３８と、ボディー底板の左右の側面４２、４３とが、本体カバー７４の下面に形成されたコ字状の切欠部７４Ａの３つの辺部とそれぞれ接触する。また、本体カバー７４の後端面は、レンズ本体１０のマウントフレーム１８に形成された段差６８に接触され、その状態でレンズカバー７０とレンズ本体１０が固定ネジ８２、８２によって連結される。
【００２９】
このとき、レンズ本体１０とレンズカバー７０との接触部には、図１に示したように導電性弾性部材３４、及び導電性ゴム４０、４６、６９が設けられているので、カバー装着時に該導電性弾性部材３４、及び導電性ゴム４０、４６、６９が変形して両者は密着される。前記レンズカバー７０についても、前記レンズ本体１０との各接触部は、接触領域について塗料が付着しないようにマスクして塗装したり、或いは、該接触領域に導電性塗装を施すなど、導通可能な処理が施されており、レンズ本体１０とレンズカバー７０の密着により電磁的なシールドが強化される。
【００３０】
このように、レンズカバー７０とレンズ本体１０の接触部に導電性弾性部材３４及び導電性ゴム４０、４６、６９を設け、レンズカバー７０側にはその接触部に導通可能な処理を施したことにより、レンズ本体、特に電気系を含む部分のシールド性を高めることができ、不要輻射ノイズの混入を低減することができる。
次に、貫通コンデンサーの役割について説明する。
【００３１】
貫通コンデンサーは、棒状の中心電極と円筒状の外部電極との間に誘電体を充填してコンデンサー構成するものであり、一般に配線が機器のケーシング又はシールド壁を貫通する部分などで、高周波短絡を行えばよいところに挿入される。図３には、図１に示した貫通コンデンサー近傍の拡大図が示されている。同図に示された貫通コンデンサー４８、４９、５０は、円筒状の外部電極４８Ａ、４９Ａ、５０Ａの周囲に螺子ヤマが形成されており、ボディー底板１６に形成されたタップに直接螺合され固定されている。
【００３２】
図４は、貫通コンデンサーが適用されている部分を示すブロック図である。テレビレンズ１００とカメラ１０２とが組付けられると、両者は図示しないインターフェイスを介して電気的に接続され、カメラ側の電源１０３（ＤＣ１２Ｖ）はレンズ側に供給されるようになる。一方、レンズ側には、別体のバッテリー１０４をコネクタを介して着脱自在に接続が可能で、テレビレンズ１００は該バッテリー１０４からも電力の供給を受けることができるようになっている。前記貫通コンデンサー４８、４９、５０は、このバッテリー１０４からの電源供給線のコネクタ受けの直後に設けられているものである。
【００３３】
図５は、バッテリーのコネクタ及びコネクタ受けの構造を示す拡大図であり、同図はバッテリーコネクタ１１０がコネクタ受けに接続されていない状態を示すものである。バッテリーコネクタ１１０は、先端が中空円筒形状に形成されており、中心部がマイナス極に相当し、円筒の外周面がプラス極となっている。尚、前記マイナス極と前記プラス極の間は絶縁材で満たされている。一方、コネクタ受け側は、図の左から順にマイナス電源端子１２１、カメラ側からのプラス電源（＋ＶＡ）に接続されている端子１２２、及びレンズ側へ供給されるプラス電源端子１２３の３本の端子で構成され、各端子にはそれぞれ図３に示した貫通コンデンサー４８、４９、５０が接続されている。
【００３４】
前記マイナス電源端子１２１の先端は、前記バッテリーコネクタ１１０のマイナス極に嵌入可能なピン形状に形成されている。このマイナス電源端子１２１は、貫通コンデンサー４８を介して、カメラ側電源のマイナス電極に短絡されているとともに、レンズ側のマイナス電極に短絡されている。このように、マイナス極はカメラ側電源とバッテリー電源とで共用されている。
【００３５】
図上中央に示された前記端子１２２には接点部材１２２Ａが接続されており、該端子１２２は貫通コンデンサー４９を介してカメラ側電源の（＋ＶＡ）に接続されている。
図上右端に示された前記端子１２３には、接片１２３Ａが弾性的に支持されており、バッテリーコネクタ１１０が接続されていない状態（ノーマル状態）では該接片１２３Ａは前記接点部材１２２Ａと接触している。そして、バッテリーコネクタ１１０がコネクタ受けに接続されると、その接点が離れるようになっている。また、該端子１２３は、貫通コンデンサー５０を介してレンズ側のプラス電源に接続されている。従って、バッテリーコネクタ１１０が接続されていない状態では、カメラ側のプラス電源＋ＶＡ及びマイナス電源（−）とがレンズ側の電源入力に接続され、カメラ側の電源からレンズ側に電力が供給されるようになっている。
【００３６】
図６は、バッテリーコネクタが接続された状態を示すものである。バッテリーコネクタ１１０がコネクタ受けに接続されると、コネクタ受けのピン１２１がバッテリーコネクタ１１０のマイナス極に嵌入するとともに、コネクタ１１０の外周部（プラス極）が接片１２３Ａを押し広げ、接点部材１２２Ａとの接触が離れる。これにより、レンズ側にはバッテリー１０４からの電源（＋ＶＢ）が供給されるようになる。
【００３７】
このように、レンズ側に入力する電源供給線のコネクタ受けの直後に貫通コンデンサーを設けたので、不要な輻射ノイズの混入が防止されている。
次に、インジケータ表示部について説明する。
図７は、マウントフレーム１８の側面に設けられたインジケータ表示部の構成を示す拡大図である。図７に示すようにマウントフレーム１８の側面には、長方形状の開口部１３０が形成されており、該開口部１３０の内側に、図示しない複数のＬＥＤが配列して設けられている。そして、この開口部１３０を、メッシュ状に編まれた金属網１３２、金属プレート１３４及びプラスチック製のインジケータ板１３６の順に重ねて閉塞させている。前記金属プレート１３４にはＬＥＤ光を透過させるための孔１３４Ａ…が打ち抜き形成されている。
【００３８】
図８は、インジケータ板１３６の一例を示す図である。インジケータ板１３６の表面にはズーム（焦点距離）、アイリス（ＩＲＩＳ）の絞り値、及びエクステンダーの倍率等を示す数字や文字と、これらに対応するＬＥＤの発光窓１３６Ａ…が形成されており、該当するＬＥＤが点灯してテレビレンズの状態を表示するようになっている。
【００３９】
このように、図７に示した開口部１３０のシールド性を高めたことにより、該開口部１３０から不要輻射ノイズが進入するのを防止することができる。また、前記メッシュ状の金属網１３２、又は金属プレート１３４のうち少なくとも一方を用いるようにしても相応の効果が認められる。その他、プラスチック製のインジケータ板１３６の裏面に導電性処理（例えば、導電性薄膜の蒸着処理）を施すことによっても、不要輻射ノイズの侵入を防止することができる。尚、導電性処理はインジケータ板１３６の裏面に限らず、表面又は表裏全面でもよい。
【００４０】
尚、金属プレート自体１３４をプラスチク製のインジケータ板１３６の代用としないのは、ＬＥＤの表示を見えるようにする必要があることから、金属プレート１３４にＬＥＤ光の透過孔を打ち抜き形成すると、該孔から内部にホコリ等が混入する恐れがあるという問題が生じるからである。
次に、マウントフレームの側部に設けられているトラッキング調整ツマミ及び、エクステンダー切替ツマミの構成について説明する。
【００４１】
図９は、図１に示したエクステンダー切替ツマミ２６の分解斜視図である。同図に示すようにエクステンダー切替ツマミ２６は、中心軸１４０がプラスチック材料（例えば、デルリン等のポリアセタール樹脂）で製作されており、該中心軸１４０の先端にギヤ１４２が固着され、軸の後端にリング１４４を介してローレットリング１４６が固着されて構成される。従来、この種のツマミの中心軸は金属材料で製作されていたため、該金属軸が不要電磁波を受信するアンテナの役割を果たし、該金属軸を伝って不要輻射ノイズがレンズ本体に混入するという問題があった。
【００４２】
そこで、図９に示すようにエクステンダー切替ツマミ２６の中心軸１４０を非導電材料で形成することによって、不要輻射ノイズの混入を防止している。
図１０は、マウントフレームの側部に設けられているトラッキング調整ツマミ６２の分解斜視図である。同図に示すトラッキング調整ツマミ６２も、前述したエクステンダー切替ツマミ２６と同様、中心軸１４８がプラスチック材料で製作されている。この中心軸１４８は円筒部材１５０に挿通され、該円筒部材１５０の先端部には外周に螺子が形成された雄ねじ部材１５１が固着される。前記円筒部材１５０の後端部には螺子部１５０Ａの形成されており、該螺子部１５０Ａにローレットリング１５２が螺合され中心軸１４８の後端に組付けられる。このように、トラッキング調整ツマミ６２の中心軸１４８を非導電材料で形成することによって、該中心軸１４８は不要電磁波を受信するアンテナとして作用することがなく、不要輻射ノイズの混入を防止することができる。
【００４３】
図１１は、エクステンダー切替コントローラ（ＥＲＳ）１６０とアイリスコントローラ（ＥＩＣ）１６２とがテレビレンズ１００に直列に接続されている様子を示すブロック図である。
即ち、エクステンダー切替コントローラ１６０は、多芯ケーブル１６４（第１のケーブル）を介してテレビレンズ１００と接続され、アイリスコントローラ１６２は、ケーブル１６６（第２のケーブル）を介して前記エクステンダー切替コントローラ１６０と接続されている。尚、それぞれ前記多芯ケーブル１６４及びケーブル１６６の接続部には、着脱の容易性を考慮してコネクタ１６４Ａ、１６４Ｂ、１６６Ａ、１６６Ｂが用いられている。
【００４４】
前記エクステンダー切替コントローラ１６０には、撮影倍率を１倍（１×）、２倍（２×）に切り替えるスイッチ（不図示）が設けられており、該エクステンダー切替コントローラ１６０は、前記スイッチの操作に応じた電圧信号（エクステンダー切替信号）を出力するようになっている。他方、アイリスコントローラ１６２には、テレビレンズ１００のアイリスの絞り値を連続的に変更操作し得るボリュームツマミ（不図示）が設けられており、該アイリスコントローラ１６２は前記ボリュームツマミの操作に応じた電圧信号（アイリスコントロール信号）を出力するようになっている。
【００４５】
前記アイリスコントローラ１６２から出力されたアイリスコントロール信号は、一旦、エクステンダー切替コントローラ１６０に導かれ、前記エクステンダー切替コントローラ１６０の基板１６０Ａを経由して、エクステンダー切替信号とともにエクステンダー切替コントローラ１６０から出力され前記テレビレンズ１００に導かれる。尚、アイリスコントロール信号は、前記基板１６０Ａで中継される際に特別な変形を受けず、そのまま出力されるようになっている。
【００４６】
本実施の形態の特徴は、アイリスコントローラ１６２から出力されたアイリスコントロール信号をエクステンダー切替コントローラ１６０に導く前記信号線１６６（アイリスコントロール信号線）と、エクステンダー切替コントローラ１６０から出力されテレビレンズ１００に入力されるエクステンダー切替信号及びアイリスコントロール信号が導かれる信号線ケーブル（多芯ケーブル）１６４とを、エクステンダー切替コントローラ１６０のケーシング内で一緒にまとめて一つのフェライトコア１６８を通すようにしている点にある。尚、前記信号線ケーブル１６４は、エクステンダー切替信号を導く信号線とアイリスコントロール信号を導く信号線とが２本一緒に束ねられて構成されている。
【００４７】
同図に示すようなフェライトコアの挿入方法は、コモンモードチョークと称し、信号電流が作る磁界は行きと帰りで互いに打ち消し合い信号に対しては挿入損失を与えない。一方、ノイズ電流は一方向の磁界を生じ挿入損失を生じる。即ち、ノイズに対してのみ損失を与えることになる。
このように、アイリスコントローラ１６２とエクステンダー切替コントローラ１６０をテレビレンズ１００に対して直列に接続し、アイリスコントロール信号線ケーブル１６６とエクステンダー切替コントローラ１６０から出力される前記多芯ケーブル１６４の双方のケーブルを一つのフェライトコア１６８でまとめるようにしたので、信号線に重畳するノイズを効果的に除去できるとともに、それぞれのケーブルに個別にフェライトコアを固着する場合に比べて、省スペース化及び低コスト化を図ることができる。
【００４８】
この場合、信号線に重畳するノイズを低減させる手段としては、前記フェライトコア１６８に限らず、これと同様の機能を有するノイズ阻止手段（ＥＭＩ除去手段）を用いてもよい。
また、図１１では、エクステンダー切替コントローラとアイリスコントローラとの２つのコントローラの組み合わせについて説明したが、この組み合わせに限らず、フォーカスコントローラ、ズームコントローラ等テレビレンズの各種制御に関する他のコントローラの任意の複数の組み合わせにも適用することができる。
【００４９】
図１２は、テレビレンズ１００と、フォーカスデマンド１７０及びズームレイトデマンドユニット１７２の接続関係を示す斜視図である。
この種のテレビカメラ１００のフォーカス操作は、図示しない雲台のパン・チルト棒や、カメラに固定されたＬ字アングル部材等にフォーカス操作部（フォーカスデマンド）１７０を外付けし、このフォーカスデマンド１７０をカメラマンが操作することにより行われる。該フォーカスデマンド１７０は、テレビレンズ１００にケーブル１７４を介して接続されており、フォーカスデマンド１７０から出力される操作信号は、図１に示した回路基板２８を経由してレンズ本体１０下部の凹部に組付けられたフォーカスレンズ駆動用のサーボモジュール（不図示）に加えられる。
【００５０】
サーボモジュールは、入力する制御信号に基づいて内蔵サーボモータを駆動し、その駆動力をカップリングを介して連結されたレンズ本体側へと伝達する。レンズ本体に伝達された駆動力は、レンズ本体に設けられた図示しない動力伝達機構によってフォーカスレンズ群に伝達され、該フォーカスレンズ群を駆動するようになっている。こうして、フォーカス調整が行われる。
【００５１】
他方、ズーム操作は、パン・チルト棒のグリップに取り付けられたズームレイトデマンドユニット１７２のサムリング１７６をカメラマンが回動操作することにより行われる。
該ズームレイトデマンドユニット１７２は、テレビレンズ１００にケーブル１７４を介して接続されており、サムリング１７６の回動方向及び角度に応じたズーム方向及びズーム速度の駆動信号をレンズ側に出力している。この駆動信号は、図１に示した回路基板２８を経由してレンズ本体１０下部の凹部に組付けられたズームレンズ駆動用のサーボモジュール（不図示）に加えられる。前記フォーカスレンズ駆動用のサーボモジュールと同様に、ズームレンズ駆動用のサーボモジュールも、入力する制御信号に基づいて内蔵サーボモータを駆動し、その駆動力をカップリングを介して連結されたレンズ本体側へと伝達する。レンズ本体１０に伝達された駆動力は、レンズ本体１０に設けられた図示しない動力伝達機構によってズームレンズに伝達され、該ズームレンズ群を駆動するようになっている。こうして、ズーム調整が行われる。
【００５２】
図１３は、図１２に示したテレビレンズ１００とフォーカスデマンド１７０及びズームレイトデマンドユニット１７２を接続する接続ケーブル１７４のコネクタ部１８０の内部構造を示す部分断面図である。
接続ケーブル１７４内において、ズーム駆動信号又はフォーカス駆動信号を伝えるリード線束は金属網状のシールド被覆線（網線）１８２で被覆されている。各リード線はコネクタの金属筒１８４内を通され、それぞれ定められたコネクタのピンに接続されている。前記シールド被覆線１８２は、該シールド被覆線の末端の内周面を前記金属筒（シールド被覆線接続部）１８４の外周面に面接触され、その全周を半田付けされて接続されている。これにより、前記リード線の周囲は、前記金属筒１８４及びシールド被覆線１８２によって切れ目無く包囲されるとともに、シールド被覆線１８２と金属筒１８４の電気的な接触が大きくなり、シールドが強化される。前記金属筒１８４及びシールド被覆線１８２の周囲は樹脂等の絶縁材１８５で固定されている。
【００５３】
従来のコネクタは、図１４に示すように、シールド被覆線１８２の終端部１８２Ａは縒ってまとめられ、金属筒１８６の外周面の一か所（Ｐ）に半田付けされているため、リード線の終端部１８８はシールド被覆されず、不要輻射ノイズが混入する可能性があるという欠点があった。
これに対して、図１３に示したようにコネクタ部のシールド被覆線１８２を金属筒１８４の外周面の全周わたって半田付けすることで、ケーブルのシールド強化が図られている。なお、シールド被覆線１８２は、金属筒１８４の外周面の全周に途切れなく半田付けするのが最も効果的であるが、外周面に沿って数カ所の半田付けをする場合でも、その半田付け位置の疎密に応じて、相応の効果は認められる。また、シールド被覆線１８２と金属筒１８４との接合は半田付けに限定されるものではなく、不要輻射ノイズの低減を図るためにはシールド被覆線１８２と金属筒１８４との接触表面積をなるべく大きく（望ましくは全周接触）しつつ、両者を接合すればよい。
【００５４】
図１３に示した構造の接続ケーブルは、テレビレンズ１００とフォーカスデマンド１７０及びズームレイトデマンドユニット１７２との接続以外にも、テレビレンズ１００とエクステンダー切替コントローラ１６０又はアイリスコントローラ１６２の接続や、エクステンダー切替コントローラ１６０とアイリスコントローラ１６２間の接続など、テレビレンズ本体とこれらを制御する各制御装置間を接続する場合に利用することにより、テレビレンズへの不要輻射ノイズの混入を防止することができる。
【００５６】
【発明の効果】
以上説明したように本発明に係るテレビレンズによれば、テレビレンズのフォーカスレンズ群、ズームレンズ群、アイリス、及びエクステンダーのうちの一つを制御する第１の制御装置を多芯の第１のケーブルを介してテレビレンズと接続するとともに、前記第１の制御装置に前記第１の制御装置と異なる他の一つを制御する第２の制御装置を第２のケーブルで接続し、第２の制御装置から出力される第２の信号を第１の制御装置で中継して前記第１のケーブルを介して前記テレビレンズに導く際に、前記第１の制御装置のケーシング内に環状の不要輻射ノイズ除去部材を設け、前記第１及び第２のケーブルを該環状の不要輻射ノイズ除去部材に通すようにしたので、前記第１及び第２のケーブルに重畳した不要輻射ノイズを効果的に除去できる。従って、かかる不要輻射ノイズがテレビレンズ内に導かれることはなく、テレビレンズの各種制御信号にノイズが混入して誤動作を起こすような不具合を防止できる。また、前記第１及び第２のケーブルを一つの環状の不要輻射ノイズ除去部材に通すことにより、前記第１及び第２のケーブルにそれぞれ個別にフェライトコアを固着する場合に比べて、省スペース化及び低コスト化を図ることができる。
【図面の簡単な説明】
【図１】図１は、本発明に係るテレビレンズが適用されたＥＦＰレンズのレンズ本体の構成を示す斜視図
【図２】図２は、レンズ本体を覆うカバーの斜視図
【図３】図３は、貫通コンデンサー近傍の拡大図
【図４】図４は、貫通コンデンサーが適用されている部分を示すブロック図
【図５】図５は、バッテリーのコネクタ及びコネクタ受けの構造を示す説明図
【図６】図６は、図５に示したコネクタ受けにバッテリーコネクタが接続された状態を示す図
【図７】図７は、マウントフレームの側面に設けられたインジケータ表示部の構成を示す拡大図
【図８】図８は、インジケータ板の一例を示す図
【図９】図９は、図１に示したエクステンダー切替ツマミの分解斜視図
【図１０】図１０は、マウントフレームの側部に設けられているエクステンダー切替ツマミの分解斜視図
【図１１】図１１は、エクステンダー切替コントローラ内のフェライトの配置関係を示す説明図
【図１２】図１２は、テレビレンズと、フォーカスデマンド及びズームレイトデマンドの接続関係を示す斜視図
【図１３】図１３は、図１２に示したケーブルコネクタの内部構造を示す部分断面図
【図１４】図１４は、従来のケーブルコネクタの内部構造を示す部分断面図
【符号の説明】
１０…レンズ本体
１４…鏡胴
１６…ボディー底板
１８…マウントフレーム
５４…信号線
５６…フェライトコア
５７、５８…信号線束
１００…テレビレンズ
１６０…エクステンダー切替コントローラ
１６２…アイリスコントローラ
１６４…多芯ケーブル（第１のケーブル）
１６６…アイリスコントロール信号線ケーブル（第２のケーブル）
【図１】
0003627832.tif 000002
【図２】
0003627832.tif 000003
【図３】
0003627832.tif 000004
【図４】
0003627832.tif 000005
【図５】
0003627832.tif 000006
【図６】
0003627832.tif 000007
【図７】
0003627832.tif 000008
【図８】
0003627832.tif 000009
【図９】
0003627832.tif 000010
【図１０】
0003627832.tif 000011
【図１１】
0003627832.tif 000012
【図１２】
0003627832.tif 000013
【図１３】
0003627832.tif 000014
【図１４】
0003627832.tif 000015